(57)【要約】【課題】  良好な操作感触が得られる機器の押しボタン構造を提供する。【解決手段】  スイッチ１３が実装された回路基板２４が収納されて、このスイッチ１３が対する面１２ａを有するケース本体（アッパーケース）１２が設けられ、このケース本体（アッパーケース）１２にカバー体２２が取付けられ、このカバー体２２のボタン用開口２２ｆに臨む押しボタン１９が設けられている機器の押しボタン構造において、上記ケース本体１２における上記スイッチが対する面１２ａには、この面１２ａの三方を切り欠くとともに一方を第１ヒンジ部１２ｃとして上下揺動可能な第１ヒンジ片部１２ｆが形成されるとともに、この第１ヒンジ片部１２ｆの押され面には、この面の三方を切り欠くとともに、第１ヒンジ部１２ｃと異なる位相に位置する一方を第２ヒンジ部１２ｃ´として上下揺動可能な第２ヒンジ片部１２ｆ´が形成されて、この第２ヒンジ片部１２ｆ´が上記押しボタン１９で押されるようになっている。【選択図】  図１
2005183261.tif 000002
【特許請求の範囲】
【請求項１】
スイッチの上方に、スイッチオフ位置に復帰可能な片持ちヒンジが設けられるとともに、この片持ちヒンジが押しボタンで押されてスイッチオンされる機器の押しボタン構造であって、
上記片持ちヒンジの押され面には、この面の三方を切り欠くとともに一方をヒンジ部として上下揺動可能なヒンジ片部が形成されて、このヒンジ片部が上記押しボタンで押されるようになっていることを特徴とする機器の押しボタン構造。
【請求項２】
スイッチが実装された回路基板が収納されて、このスイッチが対する面を有するケース本体が設けられ、このケース本体にカバー体が取付けられ、このカバー体のボタン用開口に臨む押しボタンが設けられている機器の押しボタン構造において、
上記ケース本体における上記スイッチが対する面には、この面の三方を切り欠くとともに一方を第１ヒンジ部として上下揺動可能な第１ヒンジ片部が形成されるとともに、この第１ヒンジ片部の押され面には、この面の三方を切り欠くとともに、第１ヒンジ部と異なる位相に位置する一方を第２ヒンジ部として上下揺動可能な第２ヒンジ片部が形成されて、この第２ヒンジ片部が上記押しボタンで押されるようになっていることを特徴とする機器の押しボタン構造。
【請求項３】
上記ヒンジ片部または上記第２ヒンジ片部の第２ヒンジ部の付近には、上記回路基板に実装されたＬＥＤ発光部の光の透光部が形成されている請求項１または２記載の機器の押しボタン構造。
【発明の詳細な説明】
【技術分野】
【０００１】
本発明は、操作感触が向上する機器の押しボタン構造に関する。
【背景技術】
【０００２】
従来、機器の押しボタン構造としては、スイッチの上方に、スイッチオフ位置に復帰可能な片持ちヒンジが設けられるとともに、この片持ちヒンジが押しボタンで押されてスイッチオンされるものがある（例えば、特許文献１参照）。
【特許文献１】特開２００２−２９８６７８号公報
【発明の開示】
【発明が解決しようとする課題】
【０００３】
しかしながら、押しボタンがインターホンの通話ボタンのように比較的大型である場合には、ヒンジ（支点）に近い位置を押す時と遠い位置を押す時とでは、押しストロークが異なるので、操作感触が変わるという問題があった。
【０００４】
本発明は、上記問題を解消するためになされたもので、良好な操作感触が得られる機器の押しボタン構造を提供することを課題とするものである。
【課題を解決するための手段】
【０００５】
上記課題を解決するために、本発明の請求項１は、スイッチの上方に、スイッチオフ位置に復帰可能な片持ちヒンジが設けられるとともに、この片持ちヒンジが押しボタンで押されてスイッチオンされる機器の押しボタン構造であって、
上記片持ちヒンジの押され面には、この面の三方を切り欠くとともに一方をヒンジ部として上下揺動可能なヒンジ片部が形成されて、このヒンジ片部が上記押しボタンで押されるようになっていることを特徴とする機器の押しボタン構造を提供するものである。
【０００６】
本発明の請求項２は、スイッチが実装された回路基板が収納されて、このスイッチが対する面を有するケース本体が設けられ、このケース本体にカバー体が取付けられ、このカバー体のボタン用開口に臨む押しボタンが設けられている機器の押しボタン構造において、
上記ケース本体における上記スイッチが対する面には、この面の三方を切り欠くとともに一方を第１ヒンジ部として上下揺動可能な第１ヒンジ片部が形成されるとともに、この第１ヒンジ片部の押され面には、この面の三方を切り欠くとともに、第１ヒンジ部と異なる位相に位置する一方を第２ヒンジ部として上下揺動可能な第２ヒンジ片部が形成されて、この第２ヒンジ片部が上記押しボタンで押されるようになっていることを特徴とする機器の押しボタン構造を提供するものである。
【０００７】
請求項３のように、上記ヒンジ片部または上記第２ヒンジ片部の第２ヒンジ部の付近には、上記回路基板に実装されたＬＥＤ発光部の光の透光部が形成されている構成しても良い。
【発明の効果】
【０００８】
本発明の請求項１によれば、片持ちヒンジの押され面に、さらにヒンジ片部を形成して、このヒンジ片部を押しボタンで押すようにしたから、押しボタンが比較的大型である場合に、押しボタンの中央部付近を押す時は、主にヒンジ片部のヒンジ部を支点にしてヒンジ片部が下揺動するとともに、押しボタンの周辺部付近を押す時は、主に片持ちヒンジのヒンジ部を支点にして片持ちヒンジの押され面が下揺動するので、支点からの距離が極端に変動しないために押しストロークが異なりにくくなって、良好な操作感触が得られるようになる。
【０００９】
本発明の請求項２によれば、ケース本体のスイッチ用開口の面に、第１ヒンジ部で上下揺動可能な第１ヒンジ片部を形成するとともに、この第１ヒンジ片部の押され面に、第２ヒンジ部で上下揺動可能な第２ヒンジ片部を形成して、この第２ヒンジ片部を押しボタンで押すようにしたから、押しボタンが比較的大型である場合に、押しボタンの中央部付近を押す時は、主に第２ヒンジ部を支点にして第２ヒンジ片部が下揺動するとともに、押しボタンの周辺部付近を押す時は、主に第１ヒンジ部を支点にして第１ヒンジ片部が下揺動するので、支点からの距離が極端に変動しないために押しストロークが異なりにくくなって、良好な操作感触が得られるようになる。
【００１０】
請求項３によれば、ヒンジ片部または第２ヒンジ片部の第２ヒンジ部の付近に、回路基板に実装したＬＥＤ発光部の光の透光部を形成することにより、押しボタンをＬＥＤで光らせることができる。
【発明を実施するための最良の形態】
【００１１】
以下、本発明を実施するための最良の形態について、図面を参照しながら詳細に説明する。
【００１２】
図１は防水機器である浴室用のインターホン（副親機）の分解斜視図、図２はケース本体１０の平面図、図３（ｂ）は図１のＡ−Ａ線に相当する組立て断面図である。
【００１３】
合成樹脂製のケース本体１０は、ロアケース１１とアッパーケース１２とで構成されて、これらのケース１１，１２内には、計６個のスイッチ１３が実装された回路基板２４が収納されている。
【００１４】
上記アッパーケース１２の上面１２ａには、上記各スイッチ１３が臨むスイッチ用開口１２ｂがそれぞれ形成されている。
【００１５】
このスイッチ用開口１２ｂは、図２に詳細に示すように、上面１２ａの三方を略Ω状に切り欠くとともに一方をヒンジ部１２ｃとして残すことにより、切り込みの内側に、合成樹脂の弾力で上下揺動可能なヒンジ片部１２ｄを一体形成している。
【００１６】
このヒンジ片部１２ｄと同じ形状のヒンジ片部１２ｄは、後述する楕円状の押しボタン１４〜１７の位置に対応させて、上面１２ａの計４箇所に形成されている。
【００１７】
また、スイッチ用開口１２ｂとして、後述する小円状の押しボタン１８の位置に対応させて、上面１２ａの三方を略Ｕ状に切り欠くとともに一方をヒンジ部１２ｃとして残すことにより、切り込みの内側に、合成樹脂の弾力で上下揺動可能なヒンジ片部１２ｅを一体形成している。
【００１８】
さらに、図３（ａ）を参照すれば、スイッチ用開口１２ｂとして、後述する比較的大型の円状の押しボタン１９の位置に対応させて、上面１２ａの三方を略半円状に切り欠くとともに一方をヒンジ部（第１ヒンジ部）１２ｃとして残すことにより、切り込みの内側（押され面）に、合成樹脂の弾力で上下揺動可能な第１ヒンジ片部１２ｆを一体形成している。
【００１９】
このヒンジ片部（第１ヒンジ片部）１２ｆには、さらにヒンジ片部（第１ヒンジ片部）１２ｆの三方を略半円状に切り欠くとともに、上記ヒンジ部（第１ヒンジ部）１２ｃと反対側に位置する一方を第２ヒンジ部１２ｃ´として残すことにより、切り込みの内側に、合成樹脂の弾力で上下揺動可能な第２ヒンジ片部１２ｆ´を一体形成している。なお、ヒンジ片部（第１ヒンジ部）１２ｃに対して第２ヒンジ部１２ｃ´を１８０度に位置に設定したが、９０度程度の範囲位置に設定することも可能である。
【００２０】
この第２ヒンジ片部１２ｆ´には、上記回路基板２４のＬＥＤ発光部２０に臨んで、ＬＥＤ発光部２０の光を透光させる円形の透光穴部１２ｇを形成している。
【００２１】
上記アッパーケース１２の上面１２ａには、スピーカー用開口１２ｈを形成している。
【００２２】
上記アッパーケース１２の上面１２ａには、防水シート材２１を介してカバー体２２が取付けられ、このカバー体２２のボタン用開口２２ａ〜２２ｆに臨む押しボタン１４〜１９が防水シート材２１の上面に貼付け固定されている。なお、２２ｇはスピーカー用開口である。
【００２３】
図３（ｂ）に詳細に示すように、比較的大型の円状の押しボタン１９に位置に対応する防水シート材２１の裏面（アッパーケース１２の上面１２ａ側の面）には、第２ヒンジ片部１２ｆ´のみに接触可能で、第１ヒンジ片部１２ｆには接触しないように逃がすためのリング状逃がし凹部２１ａを形成している。
【００２４】
上記のような浴室用のインターホン（副親機）の押しボタン構造であれば、比較的大型の円状の押しボタン１９に位置に対応するアッパーケース１２の上面１２ａのスイッチ用開口１２ｂに、ヒンジ部（第１ヒンジ部）１２ｃで上下揺動可能な第１ヒンジ片部１２ｆを形成するとともに、この第１ヒンジ片部１２ｆの内側（押され面）に、第２ヒンジ部１２ｃ´で上下揺動可能な第２ヒンジ片部１２ｆ´を形成して、この第２ヒンジ片部１２ｆ´を押しボタン１９で押すようにしたものである。
【００２５】
そして、押しボタン１９が比較的大型である場合に、押しボタン１９の中央部付近を押す時は〔図３（ｂ）の矢印ｂ参照〕、主に第２ヒンジ部１２ｃ´を支点にして第２ヒンジ片部１２ｆ´が下揺動するようになる〔図３（ｃ）参照〕。
【００２６】
また、押しボタン１９の周辺部付近を押す時は〔図３（ｂ）の矢印ｃ参照〕、主にヒンジ部（第１ヒンジ部）１２ｃを支点にして第１ヒンジ片部１２ｆが下揺動するので、支点からの距離が極端に変動しないために押しストロークが異なりにくくなって、良好な操作感触が得られるようになる。
【００２７】
また、第２ヒンジ片部１２ｆ´の第２ヒンジ部１２ｃ´の付近に、回路基板２４に実装したＬＥＤ発光部２０の光の透光穴部１２ｇを形成したから、押しボタン１９の透光性図柄部１９ａ（図１参照）をＬＥＤで光らせることができる。この場合、上記アッパーケース１２と防水シート材２１とは、透明若しくは半透明の素材であるのが好ましく、透光性に優れていれば、図４に示すように、上記透光穴部１２ｇを特に形成する必要が無い。
【００２８】
上記実施形態では、各ヒンジ片部１２ｄ〜１２ｆをアッパーケース１２の上面１２ａに一体形成したが、別体のヒンジ片部１２ｄ〜１２ｆを上面１２ａのスイッチ用開口１２ｂに溶着等で固定することも可能である。
【００２９】
上記実施形態では、防水機器である浴室用のインターホン（副親機）を例にとったが、必ずしも防水機器である必要は無い。
【００３０】
また、上記従来技術のような片持ちヒンジの押しボタン構造にも適用できることは言うまでもない。
【図面の簡単な説明】
【００３１】
【図１】浴室用のインターホン（副親機）の分解斜視図である。
【図２】ケース本体の平面図である。
【図３】（ａ）は大型の押しボタン部分の各ヒンジ片部の平面図、（ｂ）は図１のＡ−Ａ線に相当する組立て断面図、（ｃ）は（ｂ）の押しボタンを押した時の要部断面図である。
【図４】（ａ）は大型の押しボタン部分の透光穴の無い各ヒンジ片部の平面図、（ｂ）は図１のＡ−Ａ線に相当する組立て断面図、（ｃ）は（ｂ）の押しボタンを押した時の要部断面図である。
【符号の説明】
【００３２】
１０    ケース本体
１２    アッパーケース
１２ａ  上面
１２ｂ  スイッチ用開口
１２ｃ  ヒンジ部（第１ヒンジ部）
１２ｃ´  第２ヒンジ部
１２ｆ  第１ヒンジ片部
１２ｆ´  第２ヒンジ片部
１２ｇ  透光穴部
１３    スイッチ
１９    押しボタン
２０    ＬＥＤ発光部
２１    防水シート材
２２    カバー体
２２ｆ  ボタン用開口
２４    回路基板
【図１】
2005183261.tif 000003
【図２】
2005183261.tif 000004
【図３】
2005183261.tif 000005
【図４】
2005183261.tif 000006